(57)【特許請求の範囲】
【請求項１】
細長い散水器本体(1) の先端にシャワーヘッド(2) を有し、後端に水ホース連結部(3) を有する植物用散水器において、  その散水器本体(1)が、その外周を把持可能な細長い剛性の管状の通水路からなり、
その通水路中に設けられ、その断面が下流側に次第に絞られる絞り部(4) と、その絞り部(4)の下流側にその断面が次第に拡大する拡大部とを有し、
先端がその絞り部(4) の流路断面が最小になる位置に連通すると共に、後端が大気に開放された空気取り入れ部(5) と、
で構成されたベンチュリー型またはエジェクタ型の構造を形成する気水混合器(6) を有して、
散水中に無数の細かい気泡を混入させて、その散水を小さな水滴に分離して柔らかなものとして、育苗中の芽や葉を痛めることのないように構成したことを特徴とする植物用散水器。
【請求項２】
請求項１において、
前記気水混合器(6) が、前記散水器本体(1) の中間に位置した植物用散水器。
【請求項３】
請求項１または請求項２において、
前記気水混合器(6) が独立構造からなり、その両端部に接続部材(13)を介してシャワーヘッド(2) とホース連結部(3) とが着脱自在に接続される植物用散水器。
【発明の詳細な説明】
【技術分野】
【０００１】
本発明は、育苗や鉢植花卉等の植物に最適な植物用散水器に関する。
【背景技術】
【０００２】
鉢植の花卉や路地栽培の苺等の育苗時期等に行う散水は、先端にシャワーヘッドを有する水ホースで、その生育の状態に応じて、水量調節をしつつ行っていた。
【発明の開示】
【発明が解決しようとする課題】
【０００３】
鉢植の花卉や路地栽培の育苗時期等に散水する場合、その花卉等の育ち初め時期には、たびたび散水を必要とすると共に、散水の勢いを弱くして植物の芽や、根や葉等を保護する必要がある。さらには、水が浸透し易いように土を柔らかい状態に保つ必要から、柔らかい散水が必要である。逆にいえば、水勢の強い散水をすると、苗床の表土が固まり、浸水しにくくなる。そこで、散水時に水道の弁を絞る必要があるが、その分だけ作業能率が落ちる欠点がある。
特に、大量の花卉や苗床等を栽培する生産者にとって、多くの時間と多大の労力を必要とする。
【０００４】
また、根から水中の溶存酸素を吸収させて、植物の毛細根の育成発達を図り、根の活着を促進し根傷みを防ぐため、水に酸素供給剤等の薬剤を使用する必要があった。その場合、栽培農家に経済的負担を強いると共に、環境汚染の問題が生じる。
そこで、本発明は散水器の水量をあまり減らすことなく、効率よく柔らかい霧状に近い散水を行って植物を保護すると共に、表土を柔らかく維持して、浸水を良好にし且つ、水中に溶存酸素を溶け込ますことができる構造の簡単な散水器を提供することを課題とする。
【課題を解決するための手段】
【０００５】
請求項１に記載の本発明は、細長い散水器本体(1) の先端にシャワーヘッド(2) を有し、後端に水ホース連結部(3) を有する植物用散水器において、  その散水器本体(1)が、その外周を把持可能な細長い剛性の管状の通水路からなり、
その通水路中に設けられ、その断面が下流側に次第に絞られる絞り部(4) と、その絞り部(4)の下流側にその断面が次第に拡大する拡大部とを有し、
先端がその絞り部(4) の流路断面が最小になる位置に連通すると共に、後端が大気に開放された空気取り入れ部(5) と、
で構成されたベンチュリー型またはエジェクタ型の構造を形成する気水混合器(6) を有して、
散水中に無数の細かい気泡を混入させて、その散水を小さな水滴に分離して柔らかなものとして、育苗中の芽や葉を痛めることのないように構成したことを特徴とする植物用散水器である。
【０００６】
上記構成において、気水混合器(6) を散水器本体(1) の中間に位置することができる。
さらには上記いずれかの構成において、気水混合器(6) を独立構造とし、その両端部に接続部材(13)を介してシャワーヘッド(2) とホース連結部(3) とを着脱自在に接続することができる。
【発明の効果】
【０００７】
本発明の植物用散水器は、その散水器本体１が外周を把持可能な細長い剛性の管状の通水路からなり、その断面が下流側に次第に絞られる絞り部４と、その絞り部４の下流側にその断面が次第に拡大する拡大部とを有し、その通水路中に設けた絞り部４の流路断面の最小になる位置に空気取り入れ部５が連通するベンチュリー型またはエジェクタ型の構造を形成する気水混合器６を有するから、シャワーヘッド２から放出される水に無数の細かい気泡９が混入することにより、散水が小さな水滴に分離されて行われ、柔らかな霧状に近い散水を実現できる。
そのため、育苗中の植物の芽や葉を傷めることがない。そして表土を柔らかく維持し、浸水を良好に保つことができる。しかも、水滴中に溶存酸素が混入され、それが根から吸収されることにより、植物の毛細根の育成発達に大きな効果をあげ、毛細根の量が著しく増加する。そして根の活着を促進し、根傷みを防ぐ効果がある。
また、水に溶存酸素を含ませるために、従来の如く酸素供給剤等の薬剤を使用する必要がないと共に、コンプレッサ等を不用とし、経済的で且つ環境保全に効果がある。
上記構成において、気水混合部６が散水器本体１の中間部に配置されたものにおいては、コンパクトで取扱い易い散水器を提供できる。 
【発明を実施するための最良の形態】
【０００８】
次に、図面に基づいて本発明の実施の形態につき説明する。
図１は本発明の第１の実施の形態を示す散水器の一部破断説明図である。
この散水器は、細長い散水器本体１の先端にシャワーヘッド２が設けられ、後端に水ホース連結部３が設けられている。そして、その水ホース連結部３に水ホース3aが着脱自在に取付けられる。
散水器本体１の中間部には、気水混合器６が設けられている。この気水混合器６は、ベンチュリー型12の構造のものである。即ち、散水器本体１内の中間部にテーパ状に絞られた絞り部４と、その下流側にテーパ状に拡大された拡大部とを有し、絞り部４の横断面の最小位置に空気取り入れ部５の先端が連通する。空気取り入れ部５の後端は、大気に開放されている。なお、シャワーヘッド２の端面には多数の小孔が穿設されている。
【０００９】
（作用）
このようにしてなる散水器は、図示しない水栓および水ホース3aを介し、散水器本体１に水７が供給される。この例で作業者は、散水器本体１の後端の把持部1aを手16で把持している。ホース3aから供給された水７は、気水混合器６の絞り部４において一旦絞られてから、また元の状態に戻る。そしてその流路断面の最小位置で静圧の圧力低下が起こり、空気取り入れ部５の開口側から空気８を吸引し、その連通部で水７と空気８とが混合される。このとき、空気８は無数の小さな気泡９を作り、空気と水との混合体をつくる。そのため各水どうしが気泡で細分化される。それと共に、気水混合器６において水７中に空気８が溶け込み、水７中の溶存酸素が著しく増加する。
【００１０】
このような水は、シャワーヘッド２から流出するとき、気泡９と共に流出するが、水７どうしを分離させ細かな柔らかい霧状に近い散水をシャワーヘッド２から流出させる。それと共に、水中に多くの溶存酸素を含む。
本発明者の実験によれば、細かい空気と水との混合体をそのままシャワーヘッド２から流出させるためには、気水混合器の位置を散水器本体１の中間または近傍に位置しなければならない。散水器本体１から遠く離れた位置で、ホースの途中等に気水混合器を配置すると、水中の気泡が流路を流れる途中で次第に大きくなり、水と空気とが分離して交互に流通することが分かった。この状態では、水がシャワーヘッド２から間欠的に放出されるに過ぎず、柔らかい霧状に近い散水は望めない。
【００１１】
次に、図２は本発明の第２の実施の形態の要部破断説明図である。
この散水器は、気水混合器６がエジェクタ型10のものであり、他は図１のそれと同一である。この例では、散水器本体１の中間部においてその流路が絞り部４により一旦テーパ状に絞られ、その下流側でテーパ状に拡大して元に戻る。その絞り部４は二重管構造からなり、絞り部４が内管部4aであり、その内管部4aの外周に外管部4bがリブ11を介して被嵌されている。そして、内管部4aと外管部4bとの間にテーパ状の空気取り入れ部５を形成する。そしてこの空気取り入れ部５の後端が大気に開放され、その先端が絞り部４の先端に連通する。この例においては、水７が内管部4a内で絞られ、それが再びテーパ状に拡大する中間で、空気取り入れ部５の開放端から空気８を吸引し、水７と空気８とを混合して下流側に放出するものである。
【００１２】
次に、図３は本発明の他の実施の形態を示し、この散水器が図１のそれと異なる点は、合成樹脂等で気水混合器６が独立に成形されたベンチュリー型12のものである。その両端にはネジ部（雄ネジまたは雌ネジ）が設けられ、そのネジ部に夫々接続部材13が螺着され、その接続部材13を介してシャワーヘッド２の延長管15及び水ホース連結部３が接続される。
なお、図３において一方の接続部材13を省略して直接シャワーヘッド２の延長管15又は水ホース連結部３に接続することもできる。
このように構成することにより、既存の各種配管部材を用い、気水混合器６のみを製作することにより接続部材13を介して散水器を完成することができきる。
【図面の簡単な説明】
【００１３】
【図１】本発明の散水器の第１の実施の形態を示す一部破断説明図。
【図２】同散水器の第２の実施の形態の要部を示す一部破断説明図及びＢ−Ｂ断面図。
【図３】同散水器の第３の実施の形態の要部を示す一部分解説明図。
【符号の説明】
【００１４】
１  散水器本体
1a  把持部
２  シャワーヘッド
３  水ホース連結部
3a  水ホース
４  絞り部
4a  内管部
4b  外管部
５  空気取り入れ部
【００１５】
６  気水混合器
７  水
８  空気
９  気泡
10  エジェクタ型
11  リブ
12  ベンチュリー型
13  接続部材
15  延長管
16  手
【図１】
0004833726.tif 000002
【図２】
0004833726.tif 000003
【図３】
0004833726.tif 000004